(57)【要約】      （修正有）【課題】ヘアーアイロンにて実現可能な凹凸のあるウェーブカールなど多様なヘアースタイルを簡便なパーマにより実現することができるパーマ用ロッドを提供する。【解決手段】パーマ用ロッド部材Ａは、平板状、多角形状、円柱状等の手で保持可能な長さを有する形状のロッド装着具２に２個のロッド１が適宜間隔にて横方向に隣接して装着される構成であり、ロッド装着具２は、一側に形成した略平行に突出する櫛歯状の装着部３へロッド１の各一端を装着し、ロッド装着具の反対側の他側には、頭髪を巻き付けた後にロッドを固定するゴム４を掛ける係止溝５を有し、ロッドにも同様な切欠６が設けてある。【選択図】図１
0003217835.tif 000002
【実用新案登録請求の範囲】
【請求項１】
複数個の中空円筒状のロッドを適宜間隔にて横方向に配置するロッド装着具からなることを特徴とするパーマ用ロッド部材。
【請求項２】
複数個の中空円筒状のロッドを適宜間隔にて横方向に配置するロッド装着具に前記ロッドの少なくとも１個を予め固定した一体構造としたことを特徴とするパーマ用ロッド部材。
【考案の詳細な説明】
【技術分野】
【０００１】  本考案は、主に女性向けの頭髪のパーマ作業時に使用するためのパーマ用ロッド部材に関し、特にヘアーアイロン仕上げをパーマで実現するためのパーマ用ロッド部材に関するものである。
【背景技術】
【０００２】  美容院や床屋等の頭髪調整場所にて施術される頭髪のパーマ作業は、中空円筒状のパーマ用ロッド（以下「ロッド」と言う。）に頭髪を巻きつけ、その頭髪にパーマ剤を付着させ、頭髪内部のたんぱく質の配列を変えることで永続的に波形を形成でき、前記ロッドは各種サイズ（大きさ）や形状が用いられている。【０００３】  そして、斯かるパーマ作業において、前記波型を大きさの異なるものとするには、前記ロッドの大きさ（径及び長さ）を変えることや、１剤の還元力を調整して均一的な大きさの異なる前記波形にすることなどが知られている。【０００４】  例えば、下記特許文献１は、円筒形のアイロン棒と熱伝播クリップを使用し、アイロン棒に毛髪の根元付近から巻き付けて熱カールを行うことにより短時間で技量差なく確実にヘアー処理するもの、下記特許文献２は、パーマ液を塗布する前に頭髪を所望の形状に整えた状態で乾燥させることにより癖付けし、その後にパーマ用液を順に塗布することにより乾燥時に癖付けした頭髪の形状を固定するものが開示されている。
【先行技術文献】
【特許文献】
【０００５】
【特許文献１】特許第４８０２０６５号公報
【特許文献２】特許第５８９４２１９号公報
【考案の概要】
【考案が解決しようとする課題】
【０００６】  ところで、頭髪の形状を波形にするためには、還元剤などから成る第１の溶剤を頭髪に付着させて頭髪内部のたんぱく質の結合を切断し、その状態のままブロム酸や過酸化水素などから成る第２の溶剤を頭髪に塗布することにより、先に切断したたんぱく質を再結合させて頭髪をロッドに巻かれた形状に変化させることで可能となる。【０００７】  そして、女性のヘアースタイル（頭髪の形状）は、所謂ヘアーアイロンの普及に伴って凹凸のあるウェーブカールなど多様になっているが、このウェーブカールは、頭頂部から頭側面に亘って延びる頭髪のうち、主に頭側面から下の部分の頭髪を一定の束ごとに上下方向に波立たせるように加工したものであり、天然パーマのような無雑作感が魅力のヘアースタイルとなっている。【０００８】  斯かるヘアースタイルを実現するためには、一般的にはシャンプーやカットを終えた後に、カール用のヘアーアイロン（コテ）を用いて頭髪を交互にカールした状態で摂氏２００度程度に加熱処理してスタイリング処理を行うが、時間と手間がかかり、更に、時間が経過したり洗髪などで頭髪が濡れたりすると、ウェーブの横波が消えて元の髪型（ストレート）に戻ってしまい長持ちしないという問題を有していた。【０００９】  また、ロッドに毛先から巻き付けてからパーマをかける方法によってもウェーブカールを得ることが可能であるが、この方法では毛先の部分に強くウェーブがかかり、根元部分はほぼストレート状態になるため、きれいな横波ウェーブが得られず、１カールの大きさが１つのロッドで巻き付けた場合、一定方向かつ、カールの大きさも細かくなってしまうため、ヘアーアイロンによるウェーブからは程遠いものとなっていた。
【課題を解決するための手段】
【００１０】  本考案は、複数個の中空円筒状のロッドを適宜間隔にて横方向に配置するロッド装着具からなることを特徴とするパーマ用ロッド部材である。【００１１】  また、本考案は、複数個の中空円筒状のロッドを適宜間隔にて横方向に配置するロッド装着具に前記ロッドの少なくとも１個を予め固定した一体構造としたことを特徴とするパーマ用ロッド部材である。
【考案の効果】
【００１２】  本考案を使用することで、凹凸のあるウェーブカールなど所望のヘアースタイルを確実に得られ、かつ、簡便なパーマにより実現できる。【００１３】  特に、使用するロッドを予め所定の配置として固定する一体構造とすることにより、作業を一層容易に行うことができる。
【図面の簡単な説明】
【００１４】
【図１】  本考案の実施例の斜視図である。
【図２】  同上実施例の使用状態を説明する写真である。
【考案を実施するための形態】
【００１５】  複数個の中空円筒状のロッドを適宜間隔にて横方向に配置するロッド装着具からなることを特徴とするパーマ用ロッド部材であり、凹凸のあるウェーブカールなど所望のヘアースタイルを確実に得られ、かつ、簡便なパーマにより実現できる。
【００１６】  また、複数個の中空円筒状のロッドを適宜間隔にて横方向に配置するロッド装着具に前記ロッドの少なくとも１個を予め固定した一体構造としたことを特徴とするパーマ用ロッド部材であり、作業を一層容易に行うことができる。
【実施例】
【００１７】  以下、添付図面に従い本考案の実施例について説明すると、Ａは、本考案に係るパーマ用ロッド部材を示しており、複数個の中空円筒状のロッドが適宜間隔にて横方向に隣接して装着可能な略平行に突出する櫛歯状の装着部を有する手で保持可能な長さを有するスティック状である。【００１８】  １は、パーマ用に用いられる２個の中空円筒状のロッドであり、通常は個々を直接頭髪に巻き付けて使用するものである。【００１９】  ２は、一側に形成した略平行に突出する櫛歯状の装着部３へロッド１の各一端を装着することにより、ロッド１を適宜間隔にて横方向に平行状態に隣接して装着するための直線状の平板状、多角形状、円柱状等の手で保持可能な長さを有する形状のロッド装着具である。【００２０】  このロッド装着具２の前記一側の反対側の他側は、頭髪を巻き付けた後にロッド１を固定するゴム４を掛ける係止溝５を有し、ロッド１にも同様な切欠６が設けてあり、ロッド装着具２の横方向の長さは、使用するロッド１の直径の３〜５倍程度とすることで、直径の異なる複数個のロッド１でも装着可能である。【００２１】  また、装着部３の間隔は、ロッド１の厚みと同程度としており、一般にロッド１は、その大きさが異なっても厚さは略同じなので、ロッド１の種類が異なっても装着できる。【００２２】  使用時には、ロッド装着具２に装着したロッド１を用いて、ロッド１の各一端とは反対側の自由端から八の字に頭髪を巻きつけることで、凹凸のあるウェーブカールが可能である。【００２３】  また、各ロッド１の間隔を広げて装着し、複数個のロッド１の全体に頭髪を巻き付けることで、頭髪の１つ１つのカールに距離を持たせることができる。【００２４】  すなわち、頭髪の毛先を内に向けたい場合には、毛先内巻き１カール（根元ボリュームアップ）、根元から中間まで八の字に巻き付けたり、毛先を外に向けたい場合には、毛先外巻き１カール（根元ボリュームダウン）、根元から中間まで八の字に巻き付けたりすることにより、頭髪の場所によってのボリューム調整も可能である。【００２５】  更に、根元内巻き１カールの後、中間八の字、毛先１カールや、根元外巻き１カールの後、中間八の字、毛先１カールなどの各種バリエーション対応が可能である。【００２６】  また、ロッド１を隣接してロッド装着具２に取り付け、複数個のロッド１を一つのロッドのように頭髪を巻き付けることにより、本来のロッド１の夫々の大きさよりも大きくしっかりとしたカールが可能になり、ロッド１の大きさより大きいカールを付けることができる。【００２７】  このように、複数個のロッド１を利用し、頭髪の部分によって毛束の巻きかたを変えることで、多様なカールが可能である。【００２８】  本考案は、パーマにてヘアースタイルを決めることにより、時間が経過したり、髪が水に濡れたりしてもきれいな凹凸のあるウェーブカールの状態を長期に亘って維持できる新規なウェーブカールパーマ方法を提供できる。【００２９】  また、前述したようにウェーブの大きさや数、カールの組み合わせなどは、ロッド１の太さや複数個のロッド１の間隔を変えることで容易にコントロールできる。【００３０】  また、コールドパーマだけでなく、デジタルパーマやク��ップパーマ、エアーウェーブなども適用可能である。【００３１】  また、頭髪の長さはセミロングまたはロングだけでなく、巻き付けることができれば、ショートヘアーにも適用できる。【００３２】  なお、本考案は、種々の応用が可能であり、例えばロッド装着具２に装着するロッド１は、前述した２個に限らず、３個以上を同時に装着しても良い。【００３３】  あるいは、ロッド１を平行状態に装着するのではなく、一定の角度（例えば、平面に置いた状態でロッド１の前記自由端が八の字状に開いている）を持たせるように適宜間隔にて横方向に隣接させても良く、この場合には、ロッド装着具２の横方向が直線状ではなく略ブーメラン型に湾曲形状としたものを用いる。【００３４】  更に、ロッド装着具２の装着部３を全て略平行に突出するものではなく、幾つかのグループ単位でそれらの先端が上下段差を有する形状とすることにより、ロッド１の前記自由端の位置が異なってロッド装着具２へ装着され、一層複雑なヘアースタイルを実現できる。【００３５】  特に、ロッド１の少なくとも１個、あるいは、使用するロッド１の全個をロッド装着具２に予め固定した一体構造とすることも可能であり、この場合には、ロッド１の装着の手間を省いたり、ロッド１の脱落を防止したりできることから、作業を一層容易に行うことができる。
【符号の説明】
【００３６】  Ａ  パーマ用ロッド部材
１  ロッド
２  ロッド装着具
３  装着部
４  ゴム
５  係止溝
６  切欠
【図１】
0003217835.tif 000003
【図２】
0003217835.tif 000004